(57)【要約】【課題】  箸の持ち手部分より先に複数の帯状の縞状模様を施した箸の製造方法およびその製造方法により製造された箸を提供することを目的とする。【解決手段】  箸の持ち手部分より先に複数の帯状の縞状模様を施した箸の製造方法であって，上塗り用塗料を湿布し，所定間隔をおいて配置された上塗り用治具の上で，箸の持ち手部分より先から所定の長さまでの範囲を回転させることで，上塗り用塗料を箸の持ち手部分より先付近に塗布する工程と，前記上塗り用塗料が塗布された箸を乾燥させる工程と，を備える箸の製造方法である。【選択図】  図１
2016174662.tif 000002
【特許請求の範囲】
【請求項１】
箸の持ち手部分より先に複数の帯状の縞状模様を施した箸の製造方法であって，
上塗り用塗料を湿布し，所定間隔をおいて配置された上塗り用治具の上で，箸をその持ち手側より先から所定の長さまでの範囲を回転させることで，上塗り用塗料を箸の持ち手部分より先に塗布する工程と，
前記上塗り用塗料が塗布された箸を乾燥させる工程と，
を備えることを特徴とする箸の製造方法。
【請求項２】
前記箸の製造方法は，さらに，
前記上塗り用塗料を塗布する工程の前に，下地用塗料を湿布した下地用治具の上で，箸を回転させることで下地用塗料を塗布する工程と，
前記下地用塗料が塗布された箸を乾燥させる工程と，
を備えることを特徴とする請求項１に記載の箸の製造方法。
【請求項３】
前記箸の製造方法は，さらに，
前記上塗り用塗料が乾燥した箸に，コーティング塗料を塗布する工程，
を備えることを特徴とする請求項１または請求項２に記載の箸の製造方法。
【請求項４】
前記箸の製造方法は，さらに，
前記下地用治具，上塗り用治具の一側面に沿って，固定部材を治具の上面よりも高い位置まで位置するように設置し，
その固定部材に沿って箸を回転させることで，下地用塗料，上塗り用塗料を前記箸に塗布する，
ことを特徴とする請求項２または請求項３に記載の箸の製造方法。
【請求項５】
前記下地用治具における下地用塗料が湿布される面は，箸の持ち手部分より先のテーパに対応する角度の傾斜を有する，
ことを特徴とする請求項１から請求項５のいずれかに記載の箸の製造方法。
【請求項６】
前記上塗り用治具は，所定の間隔をおいて連結し一体として構成されており，
前記上塗り用治具における上塗り用塗料が湿布される面は，箸の持ち手部分より先のテーパに対応する角度の傾斜を有する，
ことを特徴とする請求項１から請求項６のいずれかに記載の箸の製造方法。
【請求項７】
請求項１から請求項６のいずれかに記載の箸の製造方法により製造される箸。
【発明の詳細な説明】
【技術分野】
【０００１】
本発明は，箸の持ち手部分より先に複数の帯状の縞状模様を施した箸の製造方法およびその製造方法により製造された箸に関する。
【背景技術】
【０００２】
食事の際に用いる箸にはさまざまな意匠が施されている。多くの場合，箸の持ち手部分にさまざまな意匠が施されている。しかし，箸の持ち手部分に意匠が施されていたとしても，箸を使用する場合には，箸を持っている手によってその意匠が隠れてしまい，その特性を発揮することができない。また，その意匠に位置の表示やすべり止めなどの様々な機能をもたせる場合でも，箸全体にその意匠を施す必要はない。
【０００３】
そこで箸の持ち手部分より先に意匠を施すことで，箸を使用する場合であっても，その意匠を利用することが可能となる。箸の持ち手部分より先に意匠を施す場合には，たとえば下記特許文献１，非特許文献１に示すように，しごき塗りまたは引き抜きと称される方法がある。
【先行技術文献】
【特許文献】
【０００４】
【特許文献１】特開平５−３８２５号公報
【非特許文献】
【０００５】
【非特許文献１】岩多製箸所，”塗箸製造は手作りの工程が多い地道な作業です”，［ｏｎｌｉｎｅ］，インターネット＜ＵＲＬ：ｈｔｔｐ：／／ｗｗｗ．ｗａｊｉｍａｈａｓｈｉ．ｃｏｍ／ｃｇｉ−ｂｉｎ／ｍｔ４／ｍｔ−    ｓｅａｒｃｈ．ｃｇｉ？ｂｌｏｇ＿ｉｄ＝１＆ｔａｇ＝％Ｅ５％Ａ１％９７％Ｅ７％ＡＥ％Ｂ８＆１ｉｍｉｔ＝２０＞
【発明の概要】
【発明が解決しようとする課題】
【０００６】
特許文献１，非特許文献１に示すしごき塗り，引き抜きと称される技法では，塗料が入った容器の側面に箸を挿入する穴を設け，その穴に箸を箸の先端から挿入することで，箸の持ち手部分より先に塗料が塗布される構造となっている。そのため，箸の先端から挿入した範囲，たとえば５ｃｍ，１０ｃｍ，１５ｃｍといった範囲で均一に塗料が箸に塗布されることとなる。しかし，これは，単色による塗装を行うには適しているが，複数の帯状の縞状模様を施したい場合，特にそれらに別々の色彩や模様を施したい場合には非常に煩雑となる。
【０００７】
すなわち，たとえば１ｃｍごとに２色（たとえば赤と青）で交互に複数の帯状の縞状模様を箸の先端から５ｃｍまで施したい場合，まず，赤色の塗料が入った容器の穴に箸を５ｃｍまで挿入し，箸の先端から５ｃｍまで赤色による着色を施す。そして乾燥させる。つぎに，青色の塗料が入った容器の穴に箸を４ｃｍまで挿入し，箸の先端から４ｃｍまで青色による着色を施し，乾燥させる。さらに，赤色の塗料が入った容器の穴に箸を３ｃｍまで挿入し，箸の先端から３ｃｍまで赤色による着色を施し，乾燥させる。つぎに，青色の塗料が入った容器の穴に箸を２ｃｍまで挿入し，箸の先端から２ｃｍまで青色による着色を施し，乾燥させる。最後に，赤色の塗料が入った容器の穴に箸を１ｃｍまで挿入し，箸の先端から１ｃｍまで赤色による着色を施し，乾燥させる。
【０００８】
このように少なくとも５回の塗料の塗布，乾燥の工程を経なければならないので，箸の完成までには期間を要する。また，箸を箸の先端から塗料が入った容器の穴に挿入することで塗装する方法であって，複数の帯状の縞状模様を施すには複数回の着色工程を経るため，箸の先端に行くほど，塗料が塗り重ねられてしまう。そのため，箸の先端の形状が塗料の厚さによって崩れてしまう。これを防止するためには研磨などの工程が必要となるが，それにも手間と期間を要する。
【０００９】
そのため，箸の持ち手部分より先に複数の帯状の縞状模様を施すための，簡便な方法が望まれている。
【課題を解決するための手段】
【００１０】
本発明者は上記課題に鑑み，簡便な方法により箸の持ち手部分より先に複数の帯状の縞状模様を施すことが可能な箸の製造方法および箸を発明した。
【００１１】
第１の発明は，箸の持ち手部分より先に複数の帯状の縞状模様を施した箸の製造方法であって，塗料を保持する担体を湿布として，所定間隔をおいて配置された塗り用治具の上で，箸の持ち手部分より先から所定の長さまでの範囲を回転させることで，塗料を箸の持ち手部分より先に塗布する工程と，前記塗料が塗布された箸を乾燥させる工程と，を備える箸の製造方法である。
【００１２】
本発明の製造方法により箸を製造することで，簡便な方法で箸の持ち手部分より先に複数の帯状の縞状模様を施すことが可能となる。その結果，１回で複数の色や模様の塗布も可能となる。 
【００１３】
上述の発明において，前記箸の製造方法は，さらに，前記塗料を塗布する工程の前に，前記塗料の下地となる塗料を湿布した下地用治具の上で，箸を回転させることで下地用塗料を塗布する工程と，前記下地用塗料が塗布された箸を乾燥させる工程と，を備える箸の製造方法のように構成することができる。
【００１４】
箸に塗料を直接塗布しても良いが，その場合，箸の素材の色に塗料が重なるため，その塗料の本来の色が締麗に出ない場合もある。その場合，前記塗料を塗布する前に下地用塗料を箸に塗布しておき，その上に前記塗料を上塗り用塗料として塗布することで，上塗り用塗料の本来の色を出すことができる。このような重ね塗りは二重に限らず，何重に重ねられてもよい。
【００１５】
上述の発明において，前記箸の製造方法は，さらに，前記上塗り用塗料が乾燥した箸に，コーティング塗料を塗布する工程，を備える箸の製造方法のように構成することができる。
【００１６】
箸の持ち手部分より先に上塗り用塗料を塗布した場合，箸の持ち手部分より先は食品などと接触することも多く，塗装が剥げてくることがある。そのため，コーティング塗料により箸の持ち手部分より先をコーティングすることが好ましい。
【００１７】
上述の発明において，前記箸の製造方法は，さらに，前記下地用治具，上塗り用治具の一側面に沿って，固定部材を治具の上面よりも高い位置まで位置するように設置し，その固定部材に沿って箸を回転させることで，下地用塗料，上塗り用塗料を前記箸に塗布する，箸の製造方法のように構成することができる。
【００１８】
箸を治具の上で回転させて塗布させる際に，箸の持ち手部分より先の位置を適切に保持しないと，複数の帯状の縞状模様にずれが生じてしまう。そこで本発明のように構成することで，箸の持ち手部分より先の位置を適切に保持することができるので，複数の帯状の縞状模様を正確に施すことができる。
【００１９】
上述の発明において，前記下地用治具における下地用塗料が湿布される面は，箸の持ち手部分より先のテーパに対応する角度の傾斜を有する，箸の製造方法のように構成することができる。
【００２０】
上述の発明において，前記上塗り用治具は，所定の間隔をおいて連結し一体として構成されており，前記上塗り用治具における上塗り用塗料が湿布される面は，箸の持ち手部分より先のテーパに対応する角度の傾斜を有する，箸の製造方法のように構成することができる。
【００２１】
箸は箸の先端に向かうにつれ，テーパ状をしている。そのため，治具の上面が水平であると，箸を回転させて塗料を塗布する際に，位置のずれが生じてしまう。そこで，本発明のように，治具の上面に，箸の持ち手部分より先のテーパに対応する角度の傾斜を設けることで，位置のずれの発生を防止できる。その結果，箸の回転がスムーズに行え，また熟練者でなくても作業が容易にできて，仕上りが良い箸が生産できる。
【００２２】
請求項１から請求項６のいずれかに記載の箸の製造方法を用いることで，箸の持ち手部分より先に複数の帯状の縞状模様を施した箸を製造することができる。
【発明の効果】
【００２３】
本発明の箸の製造方法を用いることによって，箸の持ち手部分より先に複数の帯状の縞状模様を簡便に施すことが可能となる。
【図面の簡単な説明】
【００２４】
【図１】本発明の箸の製造方法の処理工程の一例を模式的に示すフローチャートである。
【図２】下地用治具で箸に下地用塗料を塗装する場合の一例を模式的に示す図である。
【図３】下地用治具で箸に下地用塗料を塗装する場合の箸と下地用治具と下地用塗料との関係の一例を模式的に示す図である。
【図４】下地用塗料が塗装された箸の一例を模式的に示す図である。
【図５】上塗り用治具で箸に上塗り用塗料を塗装する場合の一例を模式的に示す図である。
【図６】上塗り用治具で箸に上塗り用塗料を塗装する場合の箸と上塗り用治具と上塗り用塗料との関係の一例を模式的に示す図である。
【図７】上塗り用塗料が塗装され，複数の帯状の縞状模様が施された箸の一例を模式的に示す図である。
【図８】実施例２の場合の下地用治具で箸に下地用塗料を塗装する場合の一例を模式的に示す図である。
【図９】実施例２の場合の下地用治具で箸に下地用塗料を塗装する場合の箸と下地用治具と下地用塗料との関係の一例を模式的に示す図である。
【図１０】実施例２の場合の上塗り用治具で箸に上塗り用塗料を塗装する場合の一例を模式的に示す図である。
【図１１】実施例２の場合の上塗り用治具で箸に上塗り用塗料を塗装する場合の箸と上塗り治具と上塗り用塗料との関係の一例を模式的に示す図である。
【発明を実施するための形態】
【００２５】
本発明の箸１の製造方法を図１の処理工程の一例を模式的に示すフローチャート，図２乃至図６の各図面を用いて説明する。なお，本発明における箸の素材は，木製，竹製，金属製，または合成樹脂等，何でもよく，特に限定されない。箸の形状については，先角，三角，四角，六角，八角等，何でもよく，特に限定されない。塗料を保持する担体である湿布の素材も布，スポンジ等，何でもよく，その形状も特に限定されない。
【００２６】
以下の箸１の製造方法の説明においては，下地用塗料３と上塗り用塗料６とを少なくとも箸１に塗布する。そのため，下地用塗料３を箸１に塗布するための下地用治具２，上塗り用塗料６を箸１に塗布するための上塗り用治具５とを用いる。
【００２７】
下地用治具２は，素材となる箸１において，上塗り用塗料６の色を椅麗に出すための下塗り用塗料を塗布するための治具である。下地用治具２としては，箸１の先端から意匠を施す長さまで，箸１の全周囲を下地用塗料３で塗布するため，たとえば略直方体の形状をしており，その上面に下地用塗料３が湿布される。下地用塗料３を箸１の全周囲に塗布できるのであれば略直方体の形状でなく，いかなる形状であっても良い。下地用治具２の一例を図２および図３に示す。
【００２８】
下地用塗料３としては，食品衛生法の基準に適合する塗料であればいかなる塗料を用いても良い。またその色も限定はないが，上塗り用塗料６の発色を締麗に出すためには，白色ないし白色に類似する色であると，上塗り用塗料６のそのままの色を締麗に出すことができる。
【００２９】
上塗り用治具５は，箸１に複数の帯状の縞状模様を施すための上塗り用塗料６を塗布するための治具である。上塗り用治具５は，所望する意匠の間隔に応じて配置した少なくとも２以上の略直方体の上塗り用治具５が，塗装する際の箸１に対して略垂直方向に配置されている。上塗り用治具５は，それぞれの治具が独立していても良いし，箸１と平行方向でそれぞれの治具が連結し，一つの治具として形成されていても良い。上塗り用治具５の一例を図５および図６に示す。図５，図６では上塗り用治具５は，上塗り用治具５ａから５ｈの８つから構成されている場合を示しているが，この数は，箸１に施す複数の帯状の縞状模様の数に応じて適宜変更可能である。また，上塗り用治具５の幅を適宜変更することで，帯の幅を変更することができ，異なる幅の上塗り用治具５を同時に用いても良い。
【００３０】
上塗り用塗料６は，好ましくは下地用塗料３の上に塗布される塗料であり，食品衛生法の基準に適合する塗料であればいかなる塗料を用いても良い。たとえば箸用塗料としてのエポライン（アイレジン株式会社製）などのポリエステル系やアクリル系の樹脂塗料を用いることができる。また，上塗り用塗料６には，箸１の滑り止めとしての機能を果たす物質，たとえば箸用塗料としての滑り止めとなる乾漆粉などを含んでいても良い。これによって，箸の持ち手部分より先に，食物をつまむ位置の指定や滑り止めなどの様々な効果を付することができる。特に箸の持ち手部分とそれより先を区別することにより子供やお年寄りにとって箸をにぎる部分の認識が容易になる。
【実施例１】
【００３１】
本発明により箸１を製造する場合には，下地用治具２に下地用塗料３を湿布する（Ｓ１００）。そこに素材となる箸１を下地用治具２の上で転がしながら，箸の持ち手部分より先から所定の長さまで，箸１の全周囲に亘り，下地用塗料３を塗布する（Ｓ１００）。この場合，下地用治具２の一側面に沿って，板などの固定部材４を，板が下地用治具２の上面よりも高い位置までくるように設置すると良い。この固定部材４に箸の持ち手部分より先があたるように，固定部材４に沿って箸１を回転させることで，箸の持ち手部分より先の位置を固定しながら，箸の持ち手部分より先から一定の長さまで下地用塗料３を塗布することができる。
【００３２】
そして，下地用塗料３が塗布された箸１を乾燥させる（Ｓ１２０）。図４に下地用塗料３が塗布された状態の箸１の一例を示す。
【００３３】
下地用塗料３が塗布された箸１の乾燥後，上塗り用塗料６を箸１に塗布するため，上塗り用治具５を，一定の間隔をおいて２以上配置し，上塗り用治具５に上塗り用塗料６を湿布させる（Ｓ１３０）。各上塗り用治具５に湿布させる上塗り用塗料６の色は同一であっても良いし，異なる色であっても良い。異なる色を用いた場合には，一度の作業で，複数の色の上塗り用塗料６を箸１に塗布することができる。
【００３４】
下地用塗料３が塗布された箸１を，上塗り用治具５の上で転がしながら，下地用塗料が塗布された上の全周囲に亘り，上塗り用塗料６を塗布する（Ｓ１４０）。この場合，下地用塗料３の塗布の場合と同様，上塗り用治具５の一側面に沿って，板などの固定部材４を，板が上塗り用治具５の上面よりも高い位置までくるように設置すると良い。この固定部材４に箸の持ち手部分より先があたるように，固定部材４に沿って箸１を回転させることで，箸の持ち手部分より先の位置を固定しながら，上塗り用塗料６を塗布することができる。
【００３５】
そして，上塗り用塗料６が塗布された箸１を乾燥させる（Ｓ１３０）。図７に上塗り用塗料６が塗布された状態の箸１の一例を示す。
【００３６】
上塗り用塗料６の乾燥によって，そのまま箸１を出荷しても良いが，箸１の仕様によって塗装が剥げるなどの可能性がある。そこで，上塗り用塗料６にさらに所定の方法により，コーティング塗料を塗装することが好ましい（Ｓ１６０）。コーティング塗料の塗装は，公知の方法により行うことができる。コーティング塗料としては，食品衛生法の基準に適合する塗料であればいかなる塗料を用いても良く，たとえばアクリルウレタン樹脂系塗料であるコマツ１０１クリヤー（アイレジン株式会社製），コマツ１０１ツヤ消し（同社製）などを用いることができる。
【００３７】
コーティング塗装を行った場合には，同様に乾燥させる（Ｓ１７０）。
【００３８】
コーティング塗装とし，その乾燥後，箸１を出荷することが可能となる。
【００３９】
なお，下塗りの回数，上塗りの回数，コーティングの回数は逐次定めることができ，たとえば下塗りの回数を２回，上塗りの回数を２回，コーティングの回数を１回とすることもできる。
【００４０】
また，下地用塗料３の塗布については，下地用治具２の上で箸１を回転させるのではなく，いわゆる引き抜きの技法を用いても良い。
【実施例２】
【００４１】
つぎに下地用塗料３を下地用治具２で，上塗り用塗料６を上塗り用治具５で箸１にそれぞれ塗布する際に，箸１はテーパ状をしていることから，その各治具の上面が水平であると箸１と各治具の上面との間に間隙ができてしまう。そのため，そのまま箸１を回転させたのでは，箸１の全面に亘って塗料が塗布されない場合がある。
【００４２】
それゆえ，箸１を各治具の上面に接触するように押し当てながら箸１を回転させることとなるが，その場合，箸１が各治具の上面に対して斜めになるので，注意しながら回転させないと，塗料が斜めに塗布されてしまうなどの状況が発生し，締麗に塗布することができなくなる。
【００４３】
そこで下地用治具２，上塗り用治具５の各上面を箸１のテーパ状に適合するように傾斜を付けた下地用治具２’，上塗り用治具５’を用いても良い。すなわち，箸１の先端付近におけるテーパに対応する角度を有する傾斜を下地用治具２’，上塗り用治具５’の各上面に設ける。箸１のテーパに対応する角度がα，下地用治具２’の上面の傾斜の角度がβ，上塗り用治具５’の上面の傾斜の角度がγであるとすると，α＝β＝γまたはα≒β，α≒γとなるように構成されていると良い。この場合の下地用治具２’の一例を図８および図９に，上塗り用治具５’の一例を図１０および図１１に示す。
【００４４】
このように下地用治具２’，上塗り用治具５’の上面（下地用塗料３，上塗り用塗料６が湿布される面）に箸１のテーパに対応する角度αを有する傾斜（傾斜角度β，γ）を設けることで，箸１を水平に保ったままで，その全面に亘って塗料を塗布することができるので，椅麗に塗料を塗布することができる。
【００４５】
上塗り用治具５’において，図５，図６と同様に，上塗り用治具５’ａから５’ｈがそれぞれ分離していると，傾斜の角度γが箸１のテーパに対応しなくなる。すなわち，５つの上塗り用治具５’ａから５’ｈを用いる場合，上塗り用治具５’ｈから５’ａにかけてその上面が徐々に高くなるように，順番に適切な間隔を置いてそれぞれを配置しなければならない。つまり，それぞれの上塗り用治具５’ａから５’ｈの置かれる相対位置，間隔は固定されなければならない。
【００４６】
そこで，各上塗り用治具５’ａから５’ｈは図１０および図１１に示すように連結部材５１により連結していると良い。各上塗り用治具５の連結部材５１は上塗り用治具５’，ａから５’ｈの端部付近で連結させるほか，中央部付近など任意の箇所で連結していても良い。これによって，上塗り用治具５’に，箸１のテーパに対応した角度の傾斜を付けることができる。
【実施例３】
【００４７】
上述の各実施例では上塗り用塗料６は，箸の持ち手部分より先から塗布することで，箸の持ち手部分より先から順に複数の帯状の縞状模様を施すこととしたが，箸の持ち手部分より先から少し間隔を開け，そこに上塗り用治具５を設置してもよい。この場合，箸の持ち手部分より先（箸の先端）は下地用塗料３が露出し，つぎに上塗り用塗料６が塗布されることとなる。すなわち，実施例１，実施例２のように上塗り用塗料６，下塗り用塗料３，上塗り用塗料６とのパターンで複数の帯状の縞状模様が形成されるのではなく，逆のパターン，下塗り用塗料３，上塗り用塗料６，下塗り用塗料３とのパターン，で複数の帯状の縞状模様を形成することができる。また，箸の先端の場合と同じ様に，複数の帯状の縞状模様の始まりは，箸のにぎり手の部分から間隔を開けて始まってもよい。
【産業上の利用可能性】
【００４８】
本発明の箸１の製造方法を用いることによって，箸の持ち手部分より先に複数の帯状の縞状模様を簡便に施すことが可能となる。
【符号の説明】
【００４９】
１：箸
２：下地用治具
３：下地用塗料
４：固定部材
５：上塗り用治具
６：上塗り用塗料
５１：連結部材
【図１】
2016174662.tif 000003
【図２】
2016174662.tif 000004
【図３】
2016174662.tif 000005
【図４】
2016174662.tif 000006
【図５】
2016174662.tif 000007
【図６】
2016174662.tif 000008
【図７】
2016174662.tif 000009
【図８】
2016174662.tif 000010
【図９】
2016174662.tif 000011
【図１０】
2016174662.tif 000012
【図１１】
2016174662.tif 000013